(57)【要約】本発明は、主として移動体通信に適した、又は一般には、単一のアンテナへの複数の電気通信システム又はアプリケーションの統合が重要である他の任意のアプリケーションに適した新型のマルチホールアンテナに関する。本アンテナは、少なくとも１つの孔を含む放射素子から構成される。この構成により、本アンテナはブロードバンド及びマルチバンド性能を提供し、よってこれは、異なる複数の周波数帯を用いた場合と同様の動作を特徴として備える。また本アンテナは、同一の周波数で動作する従来技術に係る他のアンテナよりサイズが小型であることを特徴とする。
2005539417.tif 000002
【特許請求の範囲】
【請求項１】
マルチホールアンテナの放射素子は少なくとも１つの孔を含み、
上記孔は、上記アンテナの放射素子の外周の内側に含まれた面積の少なくとも２０％の面積を有することを特徴とするマルチホールアンテナ。
【請求項２】
上記放射素子は導体又は超伝導体であり、
上記導体又は超伝導体は、誘電体で充填され又は放射素子に使用された導体とは異なる導体又は超伝導体の材料で部分的に充填されることが可能な少なくとも１つの孔を含むことを特徴とする請求項１記載のアンテナ。
【請求項３】
上記放射素子は１つの孔を含むことを特徴とする請求項１又は２記載のアンテナ。
【請求項４】
上記放射素子は少なくとも２つの孔を含むことを特徴とする請求項１又は２記載のアンテナ。
【請求項５】
上記放射素子の外周、又は上記孔のうちの少なくとも１つの孔の外周、もしくは上記放射素子の外周と上記放射素子の孔のうちの少なくとも１つの孔の外周との両方は、三角形、正方形、長方形、台形、五角形、六角形、七角形、八角形、円形及び楕円形のセットから選択された幾何学的形状で成形される請求項１、２、３又は４記載のアンテナ。
【請求項６】
上記マルチホール構造の少なくとも一部は、マルチレベル構造又は装荷構造である請求項１、２、３、４又は５記載のアンテナ。
【請求項７】
少なくとも１つの孔の少なくとも外周は、最小で２つのセグメントによって構成され、最大で９つのセグメントによって構成される曲線であり、上記複数のセグメントは、各セグメントがそれらの近傍セグメントに対して所定の角度を形成するように、すなわち隣接したどの一対のセグメントもより大きな直線セグメントを画成することのないように接続される請求項１、２、３、４、５又は６記載のアンテナ。
【請求項８】
少なくとも１つの孔の外周の少なくとも一部は空間充填曲線によって成形される請求項１、２、３、４、５、６又は７記載のアンテナ。
【請求項９】
上記孔のうちの少なくとも１つの孔は、上記放射素子の外周の４分の１より短い距離、又はその４分の３を超える距離だけ上記放射素子の給電点から離れた位置において、上記放射素子の外周と交差する請求項１、２、３、４、５、６、７又は８記載のアンテナ。
【請求項１０】
上記孔のうちの少なくとも１つの孔は曲線として成形され、上記曲線は少なくとも１点でそれ自体と交差する請求項１、２、３、４、５、６、７、８又は９記載のアンテナ。
【請求項１１】
上記アンテナは、その開口の形状が、先行する請求項に記載されたアンテナの放射素子の形状の任意のものと同一である開口アンテナであることを特徴とする先行する請求項のいずれかに記載のアンテナ。
【請求項１２】
アンテナはモノポールアンテナ又はダイポールアンテナであることを特徴とする先行する請求項のいずれか記載のアンテナ。
【請求項１３】
アンテナはアンテナアレーの１素子であり、上記アレーは少なくとも１つのマルチホールアンテナを含むアンテナ。
【請求項１４】
上記アンテナは、マルチバンド動作、ブロードバンド動作又は両者の組み合わせによって特徴付けられることを特徴とする先行する請求項のいずれか記載のアンテナ。
【請求項１５】
放射素子は最長の動作波長の４分の１より短いことを特徴とするマルチホールアンテナ。
【発明の詳細な説明】
【技術分野】
【０００１】
本発明は、いくつかの周波数において同時に、改良されたインピーダンス整合で動作する新規なマルチホールアンテナに関する。また本アンテナは、同一の周波数で動作する従来技術に係る他のアンテナよりサイズが小型であることを特徴とする。
【０００２】
この新規なマルチホールアンテナの放射素子は、多角形形状、空間充填型形状、装荷形状又はマルチレベル型形状に成形されたアンテナであって、少なくとも放射アンテナ面に１つの孔を含むアンテナから構成される。
【０００３】
本発明は、主として移動体通信に適した、又は一般には、単一のアンテナへの複数の電気通信システム又はアプリケーションの統合が重要である他の任意のアプリケーションに適した新型のマルチホールアンテナに関する。
【背景技術】
【０００４】
電気通信セクタの発達と、特に個人用の移動体通信システムの拡大とは、多周波型かつ小型のアンテナを必要とする複数のサービス用（多周波）の小型システムの開発へと工学的な努力を注がせている。
【発明の開示】
【発明が解決しようとする課題】
【０００５】
従って今日、最大個数のサービスにわたる適用範囲を提供するマルチバンド及び／又はワイドバンド性能を有する小型マルチシステムアンテナを使用することは、そのことが電気通信のオペレータによる彼らのコストの削減と環境への影響の最小化とを可能にするので、著しい関心事となっている。
【０００６】
報告されているマルチバンドアンテナソリューションの大部分は、各バンド又はサービスについて１つ又は複数の放射器又は分岐部を使用する。一例は、「移動体電話機のための複数バンド、複数分岐部のアンテナ（Multiple band, multiple branch antenna for mobile phone）」と題する米国特許出願第０９／１２９１７６号に記載されている。
【０００７】
マルチバンド及び／又は小型サイズの性能を備えたアンテナを探す場合に特に興味深いものとなりうる代替例には、「マルチレベルアンテナ（Multilevel Antennas）」と題する国際出願の出願公開第ＷＯ０１２２５２８号のパンフレットに記載されたマルチレベルアンテナと、「小型空間充填アンテナ（Space-filling miniature antennas）」と題する国際出願の出願公開第ＷＯ０１５４２２５号のパンフレットに記載された小型空間充填アンテナと、「装荷型アンテナ（Loaded Antenna）」と題する国際出願第ＰＣＴ／ＥＰ０１／１１９１４号の明細書に記載された装荷型アンテナとがある。
【０００８】
エヌ．ピー．アグラワル（「新規なワイドバンドモノポールアンテナ」，アンテナ・アンド・プロパゲーション・ソサエティ・インターナショナル・シンポジウム，１９９７，ＩＥＥＥ，ｖｏｌ．１，ｐｐ．２４８−２５１（N. P. Agrawall, "New wideband monopole antennas", Antennas and Propagation Society International Symposium, 1997, IEEE, vol. 1, pp. 248-251））は、複数の中実なプレーナ型多角形モノポールアンテナにてなるセットの結果を提示しているが、本発明の内容とは異なるものである。
【課題を解決するための手段】
【０００９】
本発明の要点は放射素子の形状にあり、この放射素子は、当該放射素子に設けられた複数の孔にてなるセットを含む。本発明によれば、アンテナは、少なくとも１つの孔を含むモノポール又はダイポールである。また本アンテナは、多角形構造、マルチレベル構造又は装荷構造によって成形された放射素子において、異なる形状及びサイズを有する複数の異なる孔を含むことができる。
【００１０】
放射素子に複数の孔を追加することにより、本アンテナは、同一の周波数で動作する従来技術に係る他のアンテナより小型サイズでの多周波動作を特徴とすることが可能である。上述の多周波動作の場合、モノポール又はダイポールアンテナにおける上記孔は、上記アンテナにおける放射素子の外周の内側に含まれる面積の少なくとも２０％の面積を特徴として有する。
【００１１】
この新規なモノポール又はダイポールは、少なくとも１つの孔を有する導体材料又は超伝導体材料製の放射素子を含み、上記孔は誘電体で充填される場合もあれば、放射素子に使用された導体とは異なる導体材料又は超伝導体材料で部分的に充填される場合もある。
【００１２】
新規なアンテナにおいて、複数の孔又はそれらの一部は、マルチレベル構造、装荷構造、空間充填構造、及び多角形構造にてなるセットから選択された幾何学的形状で成形されることが可能である。これらの幾何学的形状は、先に特定した特許文献に記載されたものとして理解される。
【発明の効果】
【００１３】
この新規なマルチホールアンテナの主たる優位点は次の２点である。
・本アンテナは、多周波動作を特徴とする。
・本アンテナは、従来技術に係るアンテナの大部分よりも低い周波数で動作可能である。
【発明を実施するための最良の形態】
【００１４】
図１は、１つの孔を含む異なる３種のアンテナ、すなわち円形、楕円形及び長方形のアンテナを示す。円形及び楕円は多数の辺を有する多角形構造とみなすことができるので、これらは、円形及び楕円も含むすべての場合で多角形形状である。場合１乃至３は、放射素子が、１つの孔を含む円であるアンテナを示し、孔のサイズは場合１から３の順に増大して（３ｂ）が最大となり場合（１ａ）が最小となる。場合１乃至３が含む孔もまた円形形状である。場合４及び５は、楕円形の孔を有する楕円形のモノポールを示す。場合（４ｂ）では、孔は放射素子の垂直軸に対して非対称に配置されている。場合６は、１つの長方形の孔を含む長方形のモノポールを示す。図１に示すすべての場合において、孔の面積は放射素子の外周に含まれる面積の少なくとも２０％である。
【００１５】
図２は、異なる３種のマルチホールアンテナを示す。場合７は、同一の２つの円形孔（７ａ）とより大きい第３の孔（７ｂ）とを有する円形形状の放射素子を示す。場合８及び９におけるアンテナはマルチホールアンテナであり、孔は曲線として成形され、上記曲線は１点においてそれ自体と交差している。場合１０及び１１は、マルチレベル構造を使用して成形された１つの孔及び３つの孔をそれぞれ有する多角形放射素子を示す。
【００１６】
図３は、場合１２は、空間充填曲線（１２ｂ）によって成形された１つの孔を含む三角形形状を有する放射素子を示す。場合１３は円形孔を有するマルチホールアンテナを示し、この孔は、放射素子の外周の４分の３を超える距離だけ給電点から離れた位置において、放射素子の外周と交差する。場合１４は、円形形状の孔（１４ｂ）とマルチレベル構造で成形された孔（１４ｃ）とからなる２つの孔を含む、長方形及び円形形状で構成された放射素子（１４ａ）を示す。場合（１５）は、円形形状を有する孔（１５ｂ）を含むもう１つの放射素子を示す。
【００１７】
図４は、場合１６は、２つの長方形の孔（１６ｂ）を含む装荷放射素子（１６ａ）を示す。
【００１８】
図５は、２つの特定の場合に係るマルチホールアンテナを示す。これらは、同軸ケーブル（１８）を配置するための開口部を有する導体又は超伝導体の接地板を備えたモノポールから構成され、上記同軸ケーブルのその外部導体は上記接地板に接続され、上記同軸ケーブルの内部導体はマルチホール放射素子に接続されている。この放射素子は、オプションで、支持誘電体（２０）上へ配置されることが可能である。
【００１９】
図６は、ダイポールから構成されたマルチホールアンテナであって、２つのアーム部の各々が１つの孔を含むマルチホールアンテナを示す。線路（２１）は、入力端子点を示す。これらの２つの図面は同一の基本ダイポールの異なる構成を表し、下側の図面では放射素子が誘電体基板（２０）によって支持されている。
【００２０】
図７は、マルチホール構造が開口アンテナ（３）として設けられた開口アンテナを示す。この開口は、導体又は超伝導体の構造（２３）上に設けられる。
【００２１】
図８は、複数のマルチホール放射素子（１７）を含むアンテナアレー（２４）を示す。
【００２２】
マルチホールアンテナの好適な一実施形態は、図５に示すようなモノポール構成である。ハンドヘルド型電話機のケースや、あるいは自動車又は列車の金属構造物の一部は、このような接地カウンターポイズとして動作することが可能である。接地板と、モノポールのアーム部（１７）（ここではアーム部の特定の実施形態が示されているが、代わりに上述のマルチホールアンテナ構造のうちの任意のものを採用することができる。）とは、従来技術に係るモノポールの場合と同様に例えば伝送線路（１８）によって励振される。上記伝送線路は２つの導体によって形成され、第１の導体は導体又は超伝導体のマルチホール構造の１点に接続され、第２の導体は接地板又は接地カウンターポイズに接続される。図５では、特定の場合の伝送線路として同軸ケーブル（１８）が採用されているが、当業者には、モノポールを励振するために他の伝送線路（例えばマイクロストリップアーム部など）を使用可能であるということが明らかである。オプションとして、説明したばかりの方式に従って、マルチホールモノポールは、例えば誘電体基板（２０）上へプリントされ、エッチングにより形成され又は取り付けられることも可能である。
【００２３】
図６は、本発明に係るもう１つの好適な実施形態を示す。２つのアーム部を備えたダイポールアンテナが、各々がマルチホール構造である２つの導体又は超伝導体の部品を備えて構成される。明確さのために、ただし一般性を失うことなく、ここでは特定の場合のマルチホールアンテナ（１７）を選択しているが、明らかに、例えば図１に示したもののような他の構造を代わりに使用することも可能である。この特定の場合では、各アーム部の外周上の２点（２１）が、ダイポール構造の入力部として採用されることが可能である。他の実施形態では、他の点が入力端子として採用される場合もある。端子（２１）は導体又は超伝導体の導線として図示されているが、当業者には明らかであるように、このような端子は、それらの動作波長が短く維持される限り、他の任意のパターンで成形されることが可能である。当業者は、入力インピーダンスや、又は例えば偏波等のアンテナの放射特性を微修正するために、ダイポールのアーム部を異なる方法で回転させたり又は折り曲げたりできるということに気づくであろう。
【００２４】
図６はまた、複数のマルチホールのアーム部が誘電体基板（２０）上へプリントされる、マルチホールダイポールアンテナのもう１つの好適な実施形態も示す。この方法は、マルチレベル構造を用いた際に生じるように放射素子の形状が多数の多角形を含む場合に、コストと機械的な頑健さとの点で特に便利である。誘電体基板上にノッチ付き給電構造をパターン形成するためには、公知のプリント回路製造技術のうちの任意のものを適用することができる。上記誘電体基板は、例えば、ガラスファイバ板、テフロンをベースとする基板（カクラッド（Cuclad：登録商標）等）、又は他の標準的な無線周波基板及びマイクロ波基板（例えばロジャーズ４００３（Rogers4003：登録商標）又はカプトン（Kapton：登録商標）等）であることが可能である。無線、ＴＶ、セルラー電話（ＧＳＭ９００、ＧＳＭ１８００、ＵＭＴＳ）又は他の通信サービスの電波を送信又は受信するためのアンテナが自動車、列車又は飛行機等の動力付きの乗り物に設置される場合、誘電体基板は、例えば窓ガラスの一部であることが可能である。当然ながら、ダイポールの２つのアーム部間で電流分布を平衡化するために、バラン回路がダイポールの入力端子に接続され又は一体化されることが可能である。
【００２５】
マルチホールアンテナのもう１つの好適な実施形態は、図７に示した開口構成である。この図面では、楕円形のマルチホール構造（３）が、導体又は超伝導体のシート（２３）上へ型押しされたスロット又は間隙を形成している。このようなシートは、例えば、プリント回路基板の構成における誘電体基板上のシートであることや、自動車の車内が赤外線放射によって加熱されることを防止するためにガラス窓上へ配置されるもののような導電性の透明フィルムであることが可能であり、もしくは、ハンドヘルド型電話機、自動車、列車、船又は飛行機の金属構造物の一部であってもよい。給電方式は従来のスロットアンテナにおいて公知の任意のものであることが可能であり、これは本発明の本質的な部分となるものではない。図７の記載では、アンテナへの給電に同軸ケーブル（２２）が使用されており、その導体のうちの一方は、導体シートの一方の側に接続され、他方は、スロットを横断してシートの他方の側に接続されている。同軸ケーブルの代わりに、例えばマイクロストリップ線路も使用可能である。
【００２６】
図８は、もう１つの好適な実施形態を示す。これは、少なくとも１つのマルチホールダイポールアンテナ（１７）を含むアンテナアレー（２４）から構成される。
【図面の簡単な説明】
【００２７】
【図１】１つの孔を含む異なる３種のアンテナ、すなわち円形、楕円形及び長方形のアンテナを示す。
【図２】異なる３種のマルチホールアンテナを示す。
【図３】場合１２は、空間充填曲線（１２ｂ）によって成形された１つの孔を含む三角形形状を有する放射素子を示し、場合１３は円形孔を有するマルチホールアンテナを示し、場合１４は、長方形及び円形形状で構成された放射素子（１４ａ）を示し、場合（１５）は、円形形状を有する孔（１５ｂ）を含むもう１つの放射素子を示す。
【図４】場合１６は、２つの長方形の孔（１６ｂ）を含む装荷放射素子（１６ａ）を示す。
【図５】２つの特定の場合に係るマルチホールアンテナを示す。
【図６】ダイポールから構成されたマルチホールアンテナであって、２つのアーム部の各々が１つの孔を含むマルチホールアンテナを示す。
【図７】マルチホール構造が開口アンテナ（３）として設けられた開口アンテナを示す。この開口は、導体又は超伝導体の構造（２３）上に設けられる。
【図８】複数のマルチホール放射素子（１７）を含むアンテナアレー（２４）を示す。
【図１】
2005539417.tif 000003
【図２】
2005539417.tif 000004
【図３】
2005539417.tif 000005
【図４】
2005539417.tif 000006
【図５】
2005539417.tif 000007
【図６】
2005539417.tif 000008
【図７】
2005539417.tif 000009
【図８】
2005539417.tif 000010
【手続補正書】
【提出日】平成16年2月13日(2004.2.13)
【手続補正１】
【補正対象書類名】特許請求の範囲
【補正対象項目名】全文
【補正方法】変更
【補正の内容】
【特許請求の範囲】
【請求項１】
外周を画成する放射素子を備えたアンテナであって、
上記放射素子は少なくとも１つの孔を含み、上記孔は、上記アンテナの放射素子の外周の内側に含まれた面積の少なくとも２０％の面積を有し、
上記放射素子の外周は、少なくとも４つの辺を備えた多角形素子として成形され、
上記孔のうちの少なくとも１つの孔の外周は、３つ以上の辺を有する多角形として成形され、
上記アンテナの構成は、モノポールアンテナ、ダイポールアンテナ、開口アンテナ及びスロットアンテナのセットから選択されることを特徴とするアンテナ。
【請求項２】
上記放射素子は導体又は超伝導体であり、上記導体又は超伝導体は誘電体材料で充填される少なくとも１つの孔を含むことを特徴とする請求項１記載のアンテナ。
【請求項３】
上記放射素子は導体又は超伝導体であり、上記導体又は超伝導体は導体又は超伝導体の材料で部分的に充填される少なくとも１つの孔を含むことを特徴とする請求項１記載のアンテナ。
【請求項４】
上記放射素子の外周は、正方形、長方形、台形、五角形、六角形、七角形、八角形、円形及び楕円形のグループから選択された幾何学的形状で成形されることを特徴とする請求項１又は請求項２記載のアンテナ。
【請求項５】
上記孔のうちの少なくとも１つの孔の外周は、三角形、正方形、長方形、台形、五角形、六角形、七角形、八角形、円形及び楕円形のグループから選択された幾何学的形状で成形されることを特徴とする先行する請求項のいずれかに記載のアンテナ。
【請求項６】
上記放射素子の外周は円形又は楕円形であることを特徴とする請求項１、２、３、４又は５記載のアンテナ。
【請求項７】
上記放射素子の外周は円形であり、上記孔のうちの少なくとも１つの孔の外周は六角形であることを特徴とする請求項１、２、３、４又は５記載のアンテナ。
【請求項８】
上記孔のうちの少なくとも１つの孔の外周は円形又は楕円形であることを特徴とする請求項６記載のアンテナ。
【請求項９】
上記放射素子の外周は、最も少ない数の辺を有する孔の外周より少なくとも２つ多い辺を備えたことを特徴とする請求項４又は５記載のアンテナ。
【請求項１０】
上記放射素子の外周又は上記孔のうちの少なくとも１つの孔の外周は、５つ以上の辺を備えたことを特徴とする請求項４又は５記載のアンテナ。
【請求項１１】
上記孔のうちの少なくとも１つの孔は、上記放射素子の垂直軸に対して非対称に整列されていることを特徴とする先行する請求項のいずれかに記載のアンテナ。
【請求項１２】
上記アンテナの一部はマルチレベル構造であることを特徴とする先行する請求項のいずれかに記載のアンテナ。
【請求項１３】
上記孔のうちの少なくとも１つの孔の少なくとも一部はマルチレベル構造であることを特徴とする請求項１２記載のアンテナ。
【請求項１４】
上記アンテナの一部は装荷構造であることを特徴とする先行する請求項のいずれかに記載のアンテナ。
【請求項１５】
上記放射素子は少なくとも２つの孔を備え、
上記孔のうちの少なくとも１つの孔は他の孔とは異なる形状を有することを特徴とする先行する請求項のいずれかに記載のアンテナ。
【請求項１６】
上記放射素子は少なくとも２つの孔を備え、
上記孔のうちの少なくとも１つの孔は他の孔とは異なるサイズを有することを特徴とする先行する請求項のいずれかに記載のアンテナ。
【請求項１７】
上記アンテナは５つ以上の辺を有する多角形の外周を有し、第１のより大きい孔は上記外周の中心に対称に配置され、同一の面積を有する複数のより小さい孔のセットは上記第１のより大きい孔の周囲に放射状に配置されることを特徴とする請求項１５記載のアンテナ。
【請求項１８】
上記少なくとも１つの孔の少なくとも外周は、最小で２つのセグメントによって構成され、最大で９つのセグメントによって構成される曲線であり、上記複数のセグメントは、各セグメントがそれらの近傍セグメントに対して所定の角度を形成するように、すなわち隣接したどの一対のセグメントもより大きな直線セグメントを画成することのないように接続されることを特徴とする先行する請求項のいずれかに記載のアンテナ。
【請求項１９】
上記少なくとも１つの孔の外周の少なくとも一部は空間充填曲線によって成形されることを特徴とする先行する請求項のいずれかに記載のアンテナ。
【請求項２０】
上記孔のうちの少なくとも１つの孔は、上記放射素子の外周の４分の１より短い距離、又はその４分の３を超える距離だけ上記放射素子の給電点から離れた位置において、上記放射素子の外周と交差することを特徴とする先行する請求項のいずれかに記載のアンテナ。
【請求項２１】
上記孔のうちの少なくとも１つの孔は曲線として成形され、上記曲線は少なくとも１点でそれ自体と交差することを特徴とする先行する請求項のいずれかに記載のアンテナ。
【請求項２２】
上記アンテナは、その開口の形状が、先行する請求項に記載されたアンテナの放射素子の形状の任意のものと同一である開口アンテナであることを特徴とする先行する請求項のいずれかに記載のアンテナ。
【請求項２３】
上記アンテナはアンテナアレーにおいて放射素子として含まれることを特徴とする先行する請求項のいずれかに記載のアンテナ。
【請求項２４】
上記アンテナはマルチバンド動作、ブロードバンド動作、又は両者の組み合わせによって特徴付けられることを特徴とする先行する請求項のいずれかに記載のアンテナ。
【請求項２５】
上記アンテナの動作バンドの少なくとも１つはブロードバンドであることを特徴とする先行する請求項のいずれかに記載のアンテナ。
【請求項２６】
上記放射素子は、最も長い動作波長の４分の１より短いことを特徴とする先行する請求項のいずれかに記載のアンテナ。
【請求項２７】
上記放射素子は、誘電体基板上へプリントされ、エッチングにより形成され又は取り付けられることを特徴とする先行する請求項のいずれかに記載のアンテナ。
【請求項２８】
上記誘電体基板は、動力付きの乗り物の窓ガラス、動力付きの乗り物の金属構造物、ハンドヘルド型端末装置の構造物からなるグループから選択された構造物の一部であることを特徴とする請求項２７記載のアンテナ。
【請求項２９】
上記アンテナは、以下の電気通信システム、すなわちＧＳＭ９００、ＧＳＭ１８００、ＧＳＭ８５０、ＰＣＳ１９００、ＣＤＭＡ、ＷＣＤＭＡ、ＴＤＭＡ、ＵＭＴＳ、ブルートゥース（Bluetooth：登録商標）、ＩＥＥＥ８０２．１１ｂ、ＩＥＥＥ８０２．１１ｇ、ＩＥＥＥ８０２．１１ａ、ウルトラワイドバンド（Ultra Wide Band：ＵＷＢ）の少なくとも１つのための電磁波を送信又は受信するために使用されることを特徴とする先行する請求項のいずれかに記載のアンテナ。
【請求項３０】
上記アンテナは、いくつかの電気通信システム、すなわちＧＳＭ９００、ＧＳＭ１８００、ＧＳＭ８５０、ＰＣＳ１９００、ＣＤＭＡ、ＷＣＤＭＡ、ＴＤＭＡ、ＵＭＴＳ、ブルートゥース（Bluetooth：登録商標）、ＩＥＥＥ８０２．１１ｂ、ＩＥＥＥ８０２．１１ｇ、ＩＥＥＥ８０２．１１ａ、ウルトラワイドバンド（Ultra Wide Band：ＵＷＢ）の少なくとも３つのための電磁波を同時に送信又は受信するために使用されることを特徴とする先行する請求項のいずれかに記載のアンテナ。
【国際調査報告】
2005539417.tif 000011
2005539417.tif 000012
2005539417.tif 000013